【手続補正書】
【提出日】平成17年10月12日(2005.10.12)
【手続補正１】
【補正対象書類名】明細書
【補正対象項目名】発明の名称
【補正方法】変更
【補正の内容】
【発明の名称】スプラインボール溝を研削する装置
【手続補正２】
【補正対象書類名】特許請求の範囲
【補正対象項目名】全文
【補正方法】変更
【補正の内容】
【特許請求の範囲】
【請求項１】
上死点から下死点の範囲で移動自在な研削スピンドルおよび、この研削スピンドルにワーク軸線に対し所定角度β°斜めに傾けて支持され、ワーク軸線と並行に軸移動され、上死点から下死点の間の位置でワーク内径にスプラインボール溝の研削が開始される棒状の研削砥石を備えた研削装置と、
この研削装置における研削スピンドルの上死点位置に対向して配置され、上記研削砥石がスプラインボール溝を研削する都度、上記研削砥石がワーク軸線に対し所定角度β°斜めに傾けたまま移動して押し当てられるドレス溝を備えた砥石成形のロータリドレッサであるドレッサ装置と
を具備することを特徴とするスプラインボール溝を研削する装置。
【請求項２】
上記研削装置における棒状の研削砥石は、
先端にストレート部を有する金属材からなる棒状の砥石支持体と、
この砥石支持体の先端ストレート部に嵌め込み固定される中空筒体からなる内層砥石部と、
この内層砥石部の周面に嵌め込み固定されて、内層砥石部と一体化され、先端に形成されるＲ状部でワーク内径にスプラインボール溝を研削する中空筒体からなる外層砥石部と
を備えたことを特徴とする請求項１記載のスプラインボール溝を研削する装置。
【請求項３】
上記研削装置は、上記棒状の研削砥石によって研削されたスプラインボール溝を有するワークの、ワーク軸線に対し所定角度β°斜めに傾けられるとともに、ワーク軸線と並行に軸移動され、スプラインボール溝の両側端部に沿って面取り研削をなす円板状の研削砥石を備えたことを特徴とする請求項１記載のスプラインボール溝を研削する装置。
【請求項４】
上記ドレッサ装置は、
駆動源を収容するロータリドレッサスピンドルと、このロータリドレッサスピンドルの回転軸に取付けられるテーパ体と、このテーパ体にクランプボルトを介して取付け固定され周面に沿ってドレス溝が設けられる円板状のロータリドレッサと、上記クランプボルトに一体に取付けられるボールと、このボールに接触するよう位置設定される板ばねと、この板ばねを取付けたＡＥセンサーと
を備えたことを特徴とする請求項１記載のスプラインボール溝を研削する装置。
【請求項５】
上記ドレッサ装置におけるロータリドレッサは、総型形状をなすとともに、このロータリドレッサの回転方向と直角方向に上記研削装置における棒状の研削砥石の回転方向が定められ、
上記研削砥石はワーク軸線に対して所定角度β°斜めに傾けた状態で軸移動し、上記ロータリドレッサのドレス溝における幅方向の中心位置を狙って通しドレスされることを特徴とする請求項１記載のスプラインボール溝を研削する装置。
【請求項６】
上記ドレッサ装置におけるロータリドレッサは、総型形状をなすとともに、このロータリドレッサの回転方向と直角方向に上記研削装置における棒状の研削砥石の回転方向が定められ、
上記研削砥石を所定角度β°斜めに傾けた状態で軸移動して、断面円弧状のドレス溝一側端に当接させ、その位置を検出する第１の位置決め手段と、
この第１の位置決め手段により研削砥石のドレス溝当接位置を検出したあと、上記研削砥石を所定角度β°斜めに傾けたまま軸移動して上記ドレス溝の他側端に当接させ、その位置を検出する第２の位置決め手段と、
この第２の位置決め手段により研削砥石のドレス当接位置を検出したあと、研削砥石を所定角度β°斜めに傾けたまま第１の位置決め手段のドレス溝当接位置と第２の位置決め手段のドレス溝との当接位置との中間位置に位置決めする第３の位置決め手段と、
この第３の位置決め手段により位置決めしたあと、研削砥石の位置を中間位置に保持してドレス溝に接触させ研削砥石全面をドレスするドレス手段と
を備えたことを特徴とする請求項１記載のスプラインボール溝を研削する装置。
【請求項７】
上記ドレッサ装置におけるロータリドレッサは、総型形状をなすとともに、このロータリドレッサの回転方向と直角方向に上記研削装置における棒状の研削砥石の回転方向が定められ、
上記研削砥石を所定角度β°斜めに傾けた状態で軸移動して、断面半円弧状のドレス溝一側端に当接させ、その位置を検出する第１の位置決め手段と、
この第１の位置決め手段により研削砥石のドレス溝当接位置を検出したあと、上記研削砥石を所定角度β°斜めに傾けままドレス溝近似中心点Ｏに軸移動する第２の位置決め手段と、
この第２の位置決め手段により研削砥石の位置を設定したあと、研削砥石を所定角度β°斜めに傾けたまま上下Ｚ軸方向または左右Ｙ軸方向に移動し、研削砥石全面をドレスするドレス手段と
を備えたことを特徴とする請求項１記載のスプラインボール溝を研削する装置。
【手続補正３】
【補正対象書類名】明細書
【補正対象項目名】０００１
【補正方法】変更
【補正の内容】
【０００１】
本発明は、ワーク内径に対するスプラインボール溝の研削をなす棒状の研削砥石を備えた研削装置と、上記研削砥石をドレスするドレッサ装置とからなるスプラインボール溝を研削する装置に関する。
【手続補正４】
【補正対象書類名】明細書
【補正対象項目名】０００７
【補正方法】変更
【補正の内容】
【０００７】
本発明は上記事情に着目してなされたものであり、その目的とするところは、研削能率の向上と仕上がりの高精度化を得る研削装置と、研削砥石の片ドレスを規制して高能率研削化を得るとともに、仕上がりの高精度化を図ったドレッサ装置とからなるスプラインボール溝を研削する装置を提供しようとするものである。
【手続補正５】
【補正対象書類名】明細書
【補正対象項目名】０００８
【補正方法】変更
【補正の内容】
【０００８】
上記目的を満足するため本発明のスプラインボール溝を研削する装置は、上死点から下死点の範囲で移動自在な研削スピンドルおよび、この研削スピンドルにワーク軸線に対し所定角度β°斜めに傾けて支持され、ワーク軸線と並行に軸移動され、上死点から下死点の間の位置でワーク内径にスプラインボール溝の研削が開始される棒状の研削砥石を備えた研削装置と、この研削装置における研削スピンドルの上死点位置に対向して配置され、研削砥石がスプラインボール溝を研削する都度、研削砥石がワーク軸線に対し所定角度β°斜めに傾けたまま移動して押し当てられるドレス溝を備えた砥石成形のロータリドレッサであるドレッサ装置とを具備する。
【手続補正６】
【補正対象書類名】明細書
【補正対象項目名】０００９
【補正方法】変更
【補正の内容】
【０００９】
本発明によれば、研削装置は研削能率の向上と仕上がりの高精度化を得られ、ドレッサ装置は研削砥石の片ドレスを規制して高能率研削化を得るとともに、仕上がりの高精度化を図れるなどの効果を奏する。
【手続補正７】
【補正対象書類名】明細書
【補正対象項目名】００１７
【補正方法】変更
【補正の内容】
【００１７】
上記ロータリドレッサ７の周面に沿って、ここでは断面円弧状のドレス溝１５が設けられていて、後述する手段（以下、「手段」を「工程」と言い換える）をもって上記研削砥石４の先端を当接させ、このドレスをなすように設定される。  
なお、ドレス時において研削砥石４の軸線Ｌａはロータリドレッサ７の接線方向（すなわち、ワークＷの軸線Ｌｂ方向）とは所定角度β°だけ傾いた姿勢であり、かつ研削砥石４をロータリドレッサ７の接線方向と並行して軸移動し、研削砥石４を成形するようになっている。